(57)【要約】画像読取装置（１００）は、画像読取部（１２１）と、記憶部（１４０）と、ダウンロード処理部（１１２）と、電子メール送信部（１１１）と、操作表示部（１３０）とを備える。画像読取部（１２１）は、原稿上の画像を読み取って、読取画像を表す画像データを生成する。ダウンロード処理部（１１２）は、画像データを記憶部（１４０）に格納し、格納されている画像データのダウンロードのための処理をダウンロード要求に応じて実行する。電子メール送信部（１１１）は、電子メールを生成し、電子メールを送信する。操作表示部（１３０）は、画像データの少なくとも１つのダウンロード先が設定される設定画面を表示する。電子メールは、ダウンロード要求に使用される予め規定されたデータを含む。
2019044655.tif 000002
【特許請求の範囲】
【請求項１】
原稿上の画像を読み取って、読取画像を表す画像データを生成する画像読取部と、
記憶部と、
前記画像データを前記記憶部に格納し、格納された前記画像データのダウンロードのための処理をダウンロード要求に応じて実行するダウンロード処理部と、
電子メールを生成し、前記電子メールを送信する電子メール送信部と、
前記画像データの少なくとも１つのダウンロード先が設定される設定画面を表示する操作表示部と
を備え、
前記電子メールは、前記ダウンロード要求に使用される予め規定されたデータを含む、画像読取装置。
【請求項２】
前記予め規定されたデータは、前記記憶部に格納されている前記画像データに対する、前記少なくとも１つのダウンロード先からのリンク情報を含む、請求項１に記載の画像読取装置。
【請求項３】
前記操作表示部は、第１の設定入力を受け付け、
前記第１の設定入力は、前記少なくとも１つのダウンロード先からの前記ダウンロード要求に応じて認証処理を要求するか否かの設定を示し、
前記認証処理は、前記少なくとも１つのダウンロード先を認証する処理であり、
前記ダウンロード処理部は、前記第１の設定入力に基づき、前記ダウンロード要求に応じて前記認証処理を要求する、請求項１に記載の画像読取装置。
【請求項４】
前記ダウンロード処理部は、前記少なくとも１つのダウンロード先の全てへの前記ダウンロードの完了に応じて前記画像データを削除する、請求項１に記載の画像読取装置。
【請求項５】
前記ダウンロード処理部は、前記電子メールを送信してから予め設定されている時間の経過後に前記画像データを削除する、請求項１に記載の画像読取装置。
【請求項６】
前記電子メールは、第１の電子メールであり、
前記ダウンロード処理部は、予め設定されている時間の経過後に、前記少なくとも１つのダウンロード先の全てへの前記ダウンロードが完了しているか否かを判断し、
前記電子メール送信部は、前記少なくとも１つのダウンロード先のうち前記ダウンロードが完了していないダウンロード先である未ダウンロード先が存在すると判断した場合には、前記画像データを前記第１の電子メールと異なる第２の電子メールに添付して前記未ダウンロード先に送信する、請求項１に記載の画像読取装置。
【請求項７】
前記操作表示部は、第２の設定入力を受け付け、
前記第２の設定入力は、前記画像データの色、解像度及びファイル形式の少なくとも１つを設定し、
前記ダウンロード処理部は、
前記画像データの色、解像度及びファイル形式の少なくとも１つが設定変更されて、前記ダウンロード要求に応じて前記ダウンロードが要求された場合には、設定変更された後の設定に基づいた前記画像データの前記ダウンロードを実行し、
前記画像データの色、解像度及びファイル形式が設定変更されることなく、前記ダウンロード要求に応じて前記ダウンロードが要求された場合には、前記第２の設定入力に基づいた前記画像データの前記ダウンロードを実行する、請求項１に記載の画像読取装置。
【請求項８】
前記記憶部は、アドレス帳と、ボックス用記憶領域とを含み、
前記アドレス帳には、前記少なくとも１つのダウンロード先毎に、ユーザー情報と、パスワードと、前記電子メールのアドレスとが記録されており、
前記ボックス用記憶領域には、前記少なくとも１つのダウンロード先毎に利用可能な記憶領域が割り当てられており、
前記ダウンロード処理部は、前記画像データを前記ボックス用記憶領域に格納する、請求項１に記載の画像読取装置。
【請求項９】
原稿上の画像を読み取って、読取画像を表す画像データを生成する画像読取工程と、
記憶工程と、
前記画像データを前記記憶工程において格納し、格納された前記画像データのダウンロードのための処理をダウンロード要求に応じて実行するダウンロード処理工程と、
電子メールを生成し、前記電子メールを送信する電子メール送信工程と、
前記画像データの少なくとも１つのダウンロード先が設定される設定画面を表示する操作表示工程と
をプロセッサーが実行し、
前記電子メールは、前記ダウンロード要求に使用される予め規定されたデータを含む、画像読取方法。
【発明の詳細な説明】
【技術分野】
【０００１】
本発明は、画像読取装置、及び画像読取方法に関し、特に原稿上の画像を読み取って生成した画像データを送信する技術に関する。
【背景技術】
【０００２】
画像形成装置（たとえばプリンター、多機能プリンター、又は複合機（Ｍｕｌｔｉｆｕｎｃｔｉｏｎ  Ｐｅｒｉｐｈｅｒａｌ））では、取得したスキャンデータをネットワークに接続されているパーソナルコンピューターその他の端末機器に送信する機能が提案されている。たとえば、スキャンデータをｐｄｆのファイル形式の画像データに変換し、電子メールの添付ファイルとして送信する技術が知られている。このような技術として、たとえば特許文献１に記載の技術によれば、画像データをサーバに保存する。特許文献１に記載の技術によれば、画像のサムネールを作成して電子メールに貼り付けるとともに、サムネールとサーバに保存されている画像データとをリンクさせるリンク情報を付加して、相手先にダウンロード送信する。
【先行技術文献】
【特許文献】
【０００３】
【特許文献１】特開２００５−３９３１９号公報
【発明の概要】
【発明が解決しようとする課題】
【０００４】
しかしながら、特許文献１の技術では、画像データを保存するためのサーバを準備する必要があるので、サーバに接続されていないネットワークでは利用できない。さらに、サーバに画像データを保存するためには、ネットワークの環境設定その他の管理負担が発生する。【０００５】
本発明は、このような状況に鑑みてなされたものであり、画像データを保存するためのサーバを利用することなく、簡易な構成で画像データを端末機器に送信する画像読取装置、及び画像読取方法を提供することを目的とする。
【課題を解決するための手段】
【０００６】
本発明の画像読取装置は、画像読取部と、記憶部と、ダウンロード処理部と、電子メール送信部と、操作表示部とを備える。前記画像読取部は、原稿上の画像を読み取って、読取画像を表す画像データを生成する。前記ダウンロード処理部は、前記画像データを前記記憶部に格納し、格納された前記画像データのダウンロードのための処理をダウンロード要求に応じて実行する。前記電子メール送信部は、電子メールを生成し、前記電子メールを送信する。前記操作表示部は、前記画像データの少なくとも１つのダウンロード先が設定される設定画面を表示する。前記電子メールは、前記ダウンロード要求に使用される予め規定されたデータを含む。【０００７】
本発明の画像読取方法は、画像読取工程と、記憶工程と、ダウンロード処理工程と、電子メール送信工程と、操作表示工程とをプロセッサーが実行する。前記画像読取工程は、原稿上の画像を読み取って、読取画像を表す画像データを生成する。前記ダウンロード処理工程は、前記画像データを前記記憶工程において格納し、格納された前記画像データのダウンロードのための処理をダウンロード要求に応じて実行する。前記電子メール送信工程は、電子メールを生成し、前記電子メールを送信する。前記操作表示工程は、前記画像データの少なくとも１つのダウンロード先が設定される設定画面を表示する。前記電子メールは、前記ダウンロード要求に使用される予め規定されたデータを含む。
【発明の効果】
【０００８】
本発明によれば、画像データを保存するためのサーバを利用することなく、簡易な構成で画像データを端末機器に送信することができる。
【図面の簡単な説明】
【０００９】
【図１】本発明の一実施形態に係る画像形成システムの機能構成を示すブロックダイアグラムである。
【図２】一実施形態に係るスキャンデータ送信処理の内容を示すフローチャートである。
【図３Ａ】一実施形態に係るスキャンデータ送信機能の設定画面を示す説明図である。
【図３Ｂ】一実施形態に係るスキャンデータ送信機能のダウンロード画面を示す説明図である。
【図４】一実施形態に係るダウンロード処理の内容を示すフローチャートである。
【発明を実施するための形態】
【００１０】
以下、本発明を実施するための形態（以下、「実施形態」という）を、図面を参照して説明する。
【００１１】
図１は、本発明の一実施形態に係る画像形成システム１０の機能構成を示すブロックダイアグラムである。画像形成システム１０は、画像形成装置１００と、４台のパーソナルコンピューター２００（２０１、２０２、２０３、及び２０４）とを備えている。４台のパーソナルコンピューター２００は、ネットワーク（この例では、ＬＡＮ）で画像形成装置１００に接続されている。４台のパーソナルコンピューター２０１〜２０４は、それぞれユーザーＡ、Ｂ、Ｃ、及びＤによって使用されている。
【００１２】
画像形成装置１００は、制御部１１０と、画像形成部１２０と、操作表示部１３０と、記憶部１４０と、通信インターフェース部（通信Ｉ／Ｆ部）１５０と、自動原稿送り装置（ＡＤＦ：Ａｕｔｏｍａｔｉｃ  Ｄｏｃｕｍｅｎｔ  Ｆｅｅｄｅｒ）１６０とを備えている。画像形成装置１００は、例えば、画像読取装置であってもよい。パーソナルコンピューター２００は、端末制御部２１０と、端末操作表示部２３０と、端末記憶部２４０と、端末通信インターフェース部（端末通信Ｉ／Ｆ部）２５０とを備えている。
【００１３】
通信インターフェース部１５０及び端末通信インターフェース部２５０の各々は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコル群を使用してそれぞれ通信を行う。通信インターフェース部１５０は、本実施形態では、ＳＭＴＰ（Ｓｉｍｐｌｅ  Ｍａｉｌ  Ｔｒａｎｓｆｅｒ  Ｐｒｏｔｏｃｏｌ）サーバとしても機能する。
【００１４】
画像形成部１２０は、画像読取部１２１と、画像処理部１２２と、画像出力部１２３とを備えている。画像読取部１２１は、原稿上の画像を読み取って、読取画像を表す画像データ（スキャンデータとも呼ばれる。）を生成する。画像処理部１２２は、印刷設定に従ってスキャンデータを処理する。画像出力部１２３は、処理されたスキャンデータに基づいて印刷媒体上に印刷を行う。
【００１５】
画像形成装置１００の操作表示部１３０は、様々なメニューを入力画面として表示する。操作表示部１３０は、タッチパネルとして機能し、タッチパネル、各種ボタン、又はスイッチ（図示せず）からユーザーの操作入力を受け付ける。パーソナルコンピューター２００の端末操作表示部２３０は、図示しないディスプレイやキーボード、マウスといったユーザーインターフェースデバイスを備えている。
【００１６】
制御部１１０と端末制御部２１０との各々は、ＲＡＭやＲＯＭ等の主記憶装置、及び、ＭＰＵ（Ｍｉｃｒｏ  Ｐｒｏｃｅｓｓｉｎｇ  Ｕｎｉｔ）又はＣＰＵ（Ｃｅｎｔｒａｌ  Ｐｒｏｃｅｓｓｉｎｇ  Ｕｎｉｔ）のようなプロセッサーを含むハードウェア回路をそれぞれ備えている。また、制御部１１０と端末制御部２１０との各々は、各種Ｉ／Ｏ、ＵＳＢ（ユニバーサル・シリアル・バス）、バス、その他ハードウェア等のインターフェースに関連するコントローラ機能をそれぞれ備え、それぞれ画像形成装置１００及びパーソナルコンピューター２００の全体を制御する。
【００１７】
制御部１１０は、電子メール送信部１１１と、ダウンロード処理部１１２とを備えている。電子メール送信部１１１は、４台のパーソナルコンピューター２０１〜２０４の各ユーザーＡ〜Ｄの電子メールアドレスへの電子メール（「第１の電子メール」とも呼ばれる。）を生成することができる。ダウンロード処理部１１２は、４台のパーソナルコンピューター２０１〜２０４からのダウンロード要求に応じてスキャンデータのダウンロードを実行することができる。
【００１８】
記憶部１４０と端末記憶部２４０との各々は、非一時的な記録媒体であるハードディスクドライブやフラッシュメモリー等からなる記憶装置である。記憶部１４０と端末記憶部２４０との各々は、制御部１１０及び端末制御部２１０の各々が実行する処理の制御プログラムやデータをそれぞれ記憶する。
【００１９】
記憶部１４０は、さらに、アドレス帳１４１と、ボックス用記憶領域１４２とを備えている。本実施形態では、アドレス帳１４１には、４台のパーソナルコンピューター２０１〜２０４のユーザーＡ〜Ｄのユーザー情報とパスワードとがそれぞれ記録されている。ボックス用記憶領域１４２には、複数のパーソナルコンピューター２００のユーザーのそれぞれが利用可能な記憶領域が割り当てられている。このようにして画像形成装置１００のメモリーにユーザー情報等が記憶されているため、例えば、ユーザー情報等の照合の際に外部機器との不要な通信時間を低減できる。
【００２０】
図２は、一実施形態に係るスキャンデータ送信処理の内容を示すフローチャートである。この例では、ユーザーＡは、３人のユーザーＡ（自分自身），ユーザーＢ及びユーザーＣへのスキャンデータの送信を意図しているものとする。
【００２１】
ステップＳ１００では、ユーザーＡは、画像形成装置１００にログインする。ログインは、画像形成装置１００にユーザーＡのユーザー名とパスワードとを入力することによって行われる。ユーザーＡのユーザー名とパスワードは、画像形成装置１００が有するアドレス帳１４１に記録されている。ステップＳ２００では、ユーザーＡは、スキャンデータ送信機能を選択する。
【００２２】
図３Ａ及び図３Ｂは、一実施形態に係るスキャンデータ送信機能の設定画面とダウンロード画面とをそれぞれ示す説明図である。図３Ａは、操作表示部１３０におけるスキャンデータ送信機能の設定画面１３１を示している。設定画面１３１では、電子メールを使用するスキャンデータ送信機能のタブ１３２が選択されている。タブ１３２には、アドレス帳１４１に登録されているユーザーＡ〜Ｄの各々の電子メールアドレスが表示されている。
【００２３】
図３Ｂは、端末操作表示部２３０におけるダウンロード画面２３１を示している。ダウンロード画面２３１は、ダウンロード内容表示領域２３２と、ステータス表示領域２３３とを有している。ステータス表示領域２３３は、ダウンロード先へのダウンロードの状況、すなわちダウンロード済みであるか否かのステータスを表示する領域である。ダウンロード処理部１１２は、スキャンデータの送信者（送信元）であるユーザーＡのパーソナルコンピューター２０１にのみ、ステータス表示領域２３３を表示するためのデータを送信する。
【００２４】
ステップＳ３００では、ユーザーＡは、設定画面１３１において宛先選択処理を実行する。宛先選択処理では、ユーザーＡは、設定画面１３１においてユーザーＡ（自分自身）、ユーザーＢ及びユーザーＣの各チェックボックス１３３にチェックマークを入れて宛先（「ダウンロード先」とも呼ばれる。）として選択する。宛先選択処理では、ユーザーＡは、初期設定として、認証処理の要否（この例では「要」が選択されている。）をラジオボタン１３４の操作で入力（「第１の設定入力」とも呼ばれる。）することができる。換言すれば、第１の設定入力は、少なくとも１つのダウンロード先からのダウンロード要求に応じて認証処理を要求するか否かの設定を示す。認証処理は、少なくとも１つのダウンロード先を認証する処理である。さらに、ユーザーＡは、設定変更アイコン１３５をタッチすることによって、例えば、ダウンロード期限、データ形式及び色を初期設定から変更するための設定を入力（「第２の設定入力」とも呼ばれる。）することができる。
【００２５】
ステップＳ４００では、ユーザーＡは、原稿のスキャンを開始する。原稿のスキャンは、たとえば原稿をＡＤＦ１６０にセットし、スキャンアイコン１３６をタッチすることによって開始することができる。これにより、ＡＤＦ１６０は、カラーモードで原稿をスキャンし、スキャンデータとしてのカラーのビットマップ画像データを生成する。
【００２６】
ダウンロード処理部１１２は、ボックス用記憶領域１４２のうちユーザーＡに割り当てられた領域にスキャンデータを格納し、格納されたスキャンデータへのリンク情報を含むダウンロード用のリンクデータを生成する。スキャンデータは、カラーモードで取得されたビットマップ画像データである。ボックス用記憶領域１４２においてユーザー毎に領域が割り当てられているため、誤ったユーザーのスキャンデータがダウンロードされることを簡易な構成で抑制できる。ダウンロード処理部１１２は、さらに、設定画面１３１でのユーザーＡによる設定内容（「第１の設定入力」及び「第２の設定入力」に相当する。）も設定ファイルとしてスキャンデータに紐づけて一緒にボックス用記憶領域１４２に格納する。ダウンロード処理部１１２は、リンクデータを電子メール送信部１１１に送信する。
【００２７】
ステップＳ５００では、ユーザーＡは、送信アイコン１３７をタッチすることによって送信処理を実行する。送信処理では、電子メール送信部１１１は、リンクデータを使用して電子メールを生成する。電子メールは、送信先をユーザーＡ、ユーザーＢ及びユーザーＣとし、送信者（送信元）をログインユーザーであるユーザーＡとしている。本実施形態では、電子メール送信部１１１は、電子メールの作成後に直ちに送信する。
【００２８】
ユーザーＡは、キャンセルアイコン１３８をタッチして処理をキャンセルすることもできる。電子メールの送信後に処理がキャンセルされた場合には、電子メール送信部１１１は、処理がキャンセルされた旨の電子メールを再送信し、ダウンロード処理部１１２は、スキャンデータを削除する。
【００２９】
図４は、一実施形態に係るダウンロード処理（ステップＳ６００）の内容（「ダウンロードのための処理」の一例に相当する。）を示すフローチャートである。ステップＳ６１０では、ユーザーＡ、ユーザーＢ及びユーザーＣの各々は、それぞれパーソナルコンピューター２０１〜２０３の端末操作表示部２３０において、画像形成装置１００から受信したメール内のリンクをクリックしてダウンロード処理を開始することができる。リンクは、ダウンロード要求に使用するための予め規定されたデータとしてのリンクデータに基づいて表示される。
【００３０】
ステップＳ６２０では、ダウンロード処理部１１２は、スキャンデータに紐づけて一緒に格納された設定ファイルに基づいて認証処理を実行する。認証処理では、ダウンロード処理部１１２は、予め規定された認証画面（図示略）を表示し、ユーザーＡ、ユーザーＢ及びユーザーＣからパスワードを受信する。ダウンロード処理部１１２は、アドレス帳１４１に登録されているパスワードと、受信したパスワードとを比較して認証処理を実行する。
【００３１】
ステップＳ６３０では、ダウンロード処理部１１２は、認証成功に応じて処理をステップＳ６４０に進め、認証失敗（たとえば３回連続でパスワード不一致）に応じて処理を終了させる。
【００３２】
ステップＳ６４０では、ダウンロード処理部１１２は、図３Ｂに示されるダウンロード画面２３１を端末操作表示部２３０に表示させる。ダウンロード画面２３１は、ダウンロード内容表示領域２３２において、送信者（この例ではユーザーＡ）やスキャンデータの初期設定内容を示している。
【００３３】
ステップＳ６５０では、ユーザーＡ、ユーザーＢ及びユーザーＣの各々は、必要に応じて設定変更アイコン２３７をクリックして設定画面（図示略）を表示させて、設定を入力することにより設定を変更することができる。ユーザーＡ、ユーザーＢ及びユーザーＣの各々は、キャンセルアイコン２３８をクリックしてダウンロード処理をキャンセルすることもできる。
【００３４】
ステップＳ６６０では、ユーザーＡ、ユーザーＢ及びユーザーＣの各々は、ダウンロードアイコン２３６をクリックして画像形成装置１００に対してダウンロードを要求する。ダウンロード処理部１１２は、初期設定、あるいは設定変更（ステップＳ３００）で変更された設定に基づいてビットマップ画像データをモノクロのｐｄｆのファイル形式のデータに変換して、ダウンロードを要求したパーソナルコンピューター２００にそれぞれダウンロードする。
【００３５】
ステップＳ６７０では、ダウンロード処理部１１２は、ステータス変更処理を実行する。ステータス変更処理では、ダウンロード処理部１１２は、ユーザーＡ、ユーザーＢ及びユーザーＣの各々によるダウンロードの状況を表すステータスをそれぞれ変更する。スキャンデータの送信者であるユーザーＡは、ダウンロード画面２３１のステータス表示領域２３３において送信先のダウンロード状況を確認することができる。すなわち、ユーザーＡは、電子メールのリンクをクリックするだけでダウンロード状況を確認することができる。
【００３６】
ステップＳ７００（図２参照）では、ダウンロード処理部１１２は、ダウンロード期限（この例では送信から２４時間）への到達に応じて、すなわち電子メールの送信から予め設定されている時間の経過後に、処理をステップＳ８００に進める。
【００３７】
ステップＳ８００では、ダウンロード処理部１１２は、送り先であるユーザーＡ、ユーザーＢ及びユーザーＣの全員がダウンロード済みであるか否かを判断する。ダウンロード処理部１１２は、電子メールの送信先（ダウンロード先とも呼ばれる。）の全員がダウンロード済みである場合には、処理をステップＳ１０００に進め、ダウンロードが完了していないダウンロード先である未ダウンロード先が存在する場合には、処理をステップＳ９００に進める。
【００３８】
ステップＳ９００では、電子メール送信部１１１は、未ダウンロードのダウンロード先に対してスキャンデータを添付して電子メール（「第２の電子メール」とも呼ばれる。）で送信する。スキャンデータは、設定画面１３１でのユーザーＡによる設定内容（この例ではモノクロのｐｄｆのファイル形式）に基づいて処理される。この例では、電子メール送信部１１１は、ユーザーＡ及びＢがダウンロード済みなので、ユーザーＣに対してスキャンデータを添付して電子メールで送信するものとする。
【００３９】
ステップＳ１０００では、ダウンロード処理部１１２は、設定ファイルとともに、ボックス用記憶領域１４２に格納されているスキャンデータを削除する。ダウンロード処理部１１２は、さらに、送信者であるユーザーＡに対して、スキャンデータ送信処理の状況を報告する電子メールを送信する。電子メールには、テキスト情報が含まれている。テキスト情報は、ユーザーＡ及びＢがダウンロードを完了し、ユーザーＣに対してスキャンデータを添付して電子メールで送信した旨を表す。
【００４０】
このように、一実施形態に係る画像形成システム１０によれば、スキャンデータを保存するためのサーバを利用することなく、簡易な構成で少なくとも一つの端末機器にスキャンデータをダウンロードすることができる。これにより、電子メールに添付してスキャンデータを送信する構成と比較して、メール送信に起因するメールサーバの負担を小さくすることができる。さらに、画像形成システム１０は、何らかの理由でダウンロード先からダウンロード要求がなされなくても確実にスキャンデータを送信することができるので、電子メールに添付してスキャンデータを送信する構成のように確実な送信を実現することができる。
【００４１】
Ｂ．変形例：
本発明は、上記各実施形態だけでなく、以下のような変形例でも実施することができる。
【００４２】
変形例１：上記実施形態では、画像形成システム１０は、複数のパーソナルコンピューター２０１〜２０４を備えているが、パーソナルコンピューターが１台でも構成可能である。
【００４３】
変形例２：上記実施形態では、画像形成システム１０は、ログイン機能を有し、ログインユーザーを送信元として電子メールを送信しているが、必ずしもログイン機能は必要ない。画像形成システム１０は、ログイン機能を使用することなく、画像形成装置１００を送信元として電子メールを送信するようにしてもよい。
【００４４】
変形例３：上記実施形態では、スキャンデータの解像度について説明がなされていないが、画像形成システム１０は、解像度を設定可能に構成してもよい。さらに、ファイル形式は、ｐｄｆだけでなく、ＴＩＦＦやビットマップ、ＪＰＥＧといったその他の形式も利用可能である。ダウンロードの対象となるスキャンデータには、画像処理部１２２によって回転その他の画像処理を施してもよい。例えば、画像データの色、解像度及びファイル形式の少なくとも１つを設定することは、「第２の設定入力」の一例に相当し得る。
【００４５】
画像形成システム１０は、たとえば原稿をカラーモードの最高解像度でスキャンしてスキャンデータを生成し、画像処理やファイル形式の変換等を施したスキャンデータとともに、画像処理やファイル形式の変換等を施す前のスキャンデータを格納してもよい。こうすれば、ユーザーは、送信者による初期設定の解像度その他の設定だけでなく、画像形成装置１００で取得可能な色や最高解像度の範囲内で、ダウンロード時に画像処理やファイル形式の変換等を実行してスキャンデータを取得することができる。なお、画像処理やファイル形式の変換等を施したスキャンデータの格納は省略可能である。
【００４６】
変形例４：上記実施形態では、ＬＡＮで接続されているパーソナルコンピューター２０１〜２０４と画像形成装置１００とで画像読取システムが構成されているが、必ずしもパーソナルコンピューター２０１〜２０４と画像形成装置１００とで画像読取システムを構成する必要はない。具体的には、たとえば画像形成装置１００の代わりに画像読取装置を使用してもよい。
【００４７】
さらに、スマートフォンやタブレットと、画像形成装置１００とをＢＬＵＥＴＯＯＴＨ（登録商標）のような無線通信で接続して画像読取システムを構成してもよい。この場合には、ユーザーインターフェースは、スマートフォンやタブレットと、画像形成装置１００とのいずれかで提供してもよく、Ｗｅｂインターフェースでもよい。
【図１】
2019044655.tif 000003
【図２】
2019044655.tif 000004
【図３Ａ】
2019044655.tif 000005
【図３Ｂ】
2019044655.tif 000006
【図４】
2019044655.tif 000007
【国際調査報告】
2019044655.tif 000008
2019044655.tif 000009
2019044655.tif 000010
2019044655.tif 000011